(57)【要約】【課題】環境問題を考慮して材料の使用量の削減するとともに、安全に使用できる筆記具の軸筒を簡単な構造で提供する。【解決手段】軸筒本体内に筆記具用レフィルを配設した筆記具の軸筒において、前記軸筒本体の外壁に円周上に連続しない貫通孔を形成するとともに、少なくとも該貫通孔の軸筒本体表面側の縁部に、面取り加工を施した指先保護部を設ける。または、少なくとも貫通孔の軸筒本体表面側の縁部に、軟質樹脂部材を装着した指先保護部を設ける。【選択図】          図１
2006289808.tif 000002
【特許請求の範囲】
【請求項１】
軸筒本体内に筆記具用レフィルを配設した筆記具の軸筒において、前記軸筒本体の外壁に円周上に連続しない貫通孔を形成するとともに、少なくとも該貫通孔の軸筒本体表面側の縁部に、面取り加工または軟質弾性体を装着した指先保護部を設けることを特徴とする筆記具の軸筒。
【請求項２】
前記貫通孔が、少なくとも軸筒本体の先端部、中央部、後端部に位置するように、連続または非連続に設けたことを特徴とする請求項１に記載の筆記具の軸筒。
【請求項３】
前記貫通孔の径方向の幅が、前記筆記具レフィルの径より大きいことを特徴とする請求項１または２に記載の筆記具の軸筒。
【請求項４】
前記貫通孔の総体積Ｌとし、貫通孔を形成する前の軸筒本体の体積をＭとしたとき、Ｌ／Ｍ×１００≧５（％）を満足することを特徴とする請求項１ないし３の何れか１項に記載の筆記具の軸筒。
【発明の詳細な説明】
【技術分野】
【０００１】
本発明は、筆記具の軸筒に関し、さらに詳しくは、軸筒本体を形成する材料の使用量を削減した筆記具の軸筒に関する。
【背景技術】
【０００２】
近年、近年資源の有効活用を考慮したリサイクルが注目されており、ゴミや廃材の分別回収も広く行われている。こうした中、筆記具においてもグリーン購入法適合商品やリサイクル材を用いたエコ認定商品等、環境問題等を考慮した製品の開発及び販売が強く望まれている。こうした環境問題等を考慮した筆記具において、特開２０００−２５３８１号「再商品化、リサイクル材料化筆記具、塗布具」に開示されているように、筆記具に使用する軸筒等の部品を、回収、再生、再利用しやすいように同一合成樹脂材料としたり、特開平１１−７８３５６号「筆記具」に開示されているように、筆記具に使用する部品に合成樹脂のリサイクル材を用いたりすることはよく知られている。
【特許文献１】「特開２０００−２５３８１号公報」
【特許文献２】「特開平１１−７８３５６号公報」
【特許文献３】「特開平０９−３９４７５号公報」
【特許文献４】「特開平１１−２４５５７６号公報」
【発明の開示】
【発明が解決しようとする課題】
【０００３】
確かに、分別しやすいように同一材料としたり、筆記具に使用する部品にリサイクル材を用いたりすることにより、環境に配慮した筆記具を提供することは可能であるが、より環境問題を考慮するならば、使用量を削減することが好ましい。
【０００４】
こうした問題を鑑みて、軸筒の肉厚を薄くすることが考えられるが、軸筒の肉厚を薄くすると、強度が低下し、繰り返しの使用、衝撃等によって、軸筒が破損する恐れがあった。また、全長を短くすることも考えられるが、使用範囲が限定される等の問題があった。
【０００５】
ところで、特開平９−３９４７５号「サイドノック式シャープペンシル」に開示されているように、ノック駒を配設するための貫通孔や特開平１１−２４５５７６号「筆記具」に、空気交替を目的とした貫通孔等、筆記具の軸筒に貫通孔を設けた筆記具の軸筒が開示されている。
【０００６】
前者のノック駒を配設するための貫通孔は、ノック駒にて貫通孔を閉鎖するため、貫通孔に直接、手が触れることはなく問題はないが、ノック駒等、新たな部品で貫通孔を閉鎖しているため、材料の使用量の削減には至っていない。
【０００７】
また、空気交替を目的とした貫通孔は、外気からの空気流通ができる程度の小さな孔であり、削減できる材料の量は微少である。貫通孔の径を大きくすることで削減できる材料の量を増加することが可能であるが、筆記具の軸筒は、筆記具等に手や指に触れるため、単に貫通孔を拡げただけではけがをする恐れがあった。
【０００８】
本発明の目的は、環境問題を考慮して材料の使用量の削減するとともに、安全に使用できる筆記具の軸筒を簡単な構造で提供することである。
【課題を解決するための手段】
【０００９】
本発明は、軸筒本体内に筆記具用レフィルを配設した筆記具の軸筒において、前記軸筒本体の外壁に円周上に連続しない貫通孔を形成するとともに、少なくとも該貫通孔の軸筒本体表面側の縁部に、面取り加工または軟質弾性体を装着した指先保護部を設けることを特徴とする。
【００１０】
また、前記貫通孔が、少なくとも軸筒本体の先端部、中央部、後端部に位置するように、連続的または非連続的に設ける。
【００１１】
また、前記貫通孔の径方向の幅が、前記筆記具レフィルの径より大きいことを特徴とする。
【００１２】
また、前記貫通孔の総体積Ｌとし、貫通孔を形成する前の軸筒本体の体積をＭとしたとき、Ｌ／Ｍ×１００≧５（％）を満足する。
【発明の効果】
【００１３】
環境問題を考慮して材料の使用量の削減するとともに、安全に使用できる筆記具の軸筒を簡単な構造で提供することができた。
【発明を実施するための最良の形態】
【００１４】
次に図面を参照しながら、本発明の筆記具の軸筒の実施例を説明するが、本発明は以下の実施例に限定されるものではない。
【実施例１】
【００１５】
図１から図３に示す筆記具の軸筒１は、軸筒本体２内に、インキ収容筒５の先端にボールペンチップ６を装着し、内部に筆記具用インキ（図示せず）を収容したボールペンレフィル４を、軸筒本体２先端部の雄ねじ部に、口先部材３の雌ねじ部を着脱自在に螺合して、キャップ（図示せず）式の筆記具を得ている。また、口先部材３を取り外すことによって。ボールペンレフィル４を交換可能としてある。
【００１６】
軸筒本体２の外壁には、軸心に対して対向する位置に、貫通孔７を、軸心に沿って穿設してあり、この貫通孔７の軸筒表面側の縁部に、丸み８を形成する面取り加工を施して指先保護部を設けてある。
【００１７】
軸筒本体２の外壁に貫通孔７を穿設することによって、外径、内径、全長が同一の従来の軸筒本体の体積に比べ、貫通孔７の体積分、軸筒本体２を作成するのに必要な材料の量を削減することができる。また、貫通孔７の軸筒本体２表面側の縁部に、丸み８を形成してあるため、手や指などが触れてもけがをすることはない。
【００１８】
また、軸筒本体２に貫通孔７を形成することによって、軸筒本体２の全体に凹凸部が形成され、軸筒本体２を指で掴み易くなるとともに、貫通孔７を利用して、装飾体等の他の部材（図示せず）を着脱自在に装着することができる。
【００１９】
また、貫通孔７の形状や大きさは、特に限定されるものではなく、軸筒の耐久性等を考慮して貫通孔の大きさを適宜選択すればよいが、貫通孔７を形成することで、筆記具の軸筒を形成する材料の使用量を削減するためには、貫通孔７を大きくすることが好ましく、貫通孔の径方向の幅Ｈを筆記具用レフィルの径Ｋより大きくすることで、筆記具用レフィル内のインキ残量が確認し易いので好ましい。
【００２０】
貫通孔の総体積Ｌは、図３に示す貫通孔を形成する前の軸筒本体４２の総体積Ｍの５％未満では、その効果が薄いため、５％以上、好ましくは、１０％以上となるように貫通孔を複数個、形成することが好ましい。また、５０％を超えると、軸筒の強度が低下する恐れがあるため、５０％以下にすることが好ましい。
【実施例２】
【００２１】
図４から図５に示す筆記具の軸筒１１は、実施例１と同様に、軸筒本体１２の外壁に、軸心に対して対向する位置に貫通孔１７を、軸心に沿って穿設してある。また、軸筒本体２に貫通孔１７の軸筒表面側の縁部を含む凹部を形成し、この凹部に軟質弾性体１８を装着して指先保護部を設けてある。凹部の形状は、弾性体樹脂部材１８が少なくとも貫通穴１７の縁部に装着する構造であれば特に限定されない。また、貫通孔１７の径方向の幅を筆記具用レフィル４の径より大きく形成してある。
【００２２】
貫通孔１７の軸筒表面側の縁部に軟質弾性体１８を装着することによって、手や指などが触れてもけがをすることはなく、さらに、軸筒本体１２と異なる色の軟質弾性体１８を装着することによって、装飾効果も得ることができる。
【実施例３】
【００２３】
図６から図７に示す筆記具の軸筒２１は、軸筒本体２２の外壁に、軸筒本体２２を３分割したときの先端部Ｓ、中央部Ｔ、後端部Ｕに位置するように、軸心に沿って、且つ軸心に対して対向する位置に、５個づつ貫通孔２７を穿設してある。また、軸筒本体２２に貫通孔２７の軸筒表面側の縁部を含む凹部を形成し、この凹部に軟質弾性体２８を装着して指先保護部を設けてある。凹部の形状は、軟質弾性体２８が少なくとも貫通穴２７の縁部に装着する構造であれば特に限定されない。また、貫通孔２７の径方向の幅を筆記具用レフィル４の径より大きく形成してある。
【００２４】
貫通孔２７を、少なくとも軸筒の先端部Ｓ、中央部Ｔ、後端部Ｕに設けることによって、軸筒２２内のボールペンレフィル４のインキ残量を、インキの消費に伴って外部から視認しやすいので好ましい。特に軸筒本体２２を不透明とした場合には、外部からボールペンレフィル４のインキ残量を確認できないので、その効果は顕著である。
【００２５】
軸筒として用いる材料は、樹脂材料、金属、木材等、特に限定されるものではないが、環境問題等を考慮してリサイクル材料を用いることが好ましい。
【００２６】
本実施例では、便宜上、軸筒を円筒形で形成してあるが、６角形や８角形等の正多角形状等、軸筒の外径形状は特に限定されない。また、本実施例では、キャップ式筆記具の軸筒を例示してあるが、ノック式筆記具の軸筒等、軸筒内に筆記体を配設構造であればよい。
【００２７】
また、筆記具用レフィルは、インキの種類やペン先部の形状など、特に限定されるものではないが、環境問題等を考慮してボールペンレフィルを交換可能とすることが好ましい。特に、エコ認定するには、原料として樹脂材料のリサイクル材を使用した場合には、この樹脂材料の合計重量が、製品全体の重量割合で７０％以上であること。ただし、消耗部品（ボールペンレフィル）は製品重量から除くことが定義付けられており、本発明の筆記具の軸筒は、貫通孔を形成しない従来の製品全体の重量より小さくなるため、製品全体の重量割合で７０％以上とするには、ボールペンレフィルを交換可能とし、製品全体に対する筆記具の軸筒の割合を多くすることが好ましい。
【産業上の利用可能性】
【００２８】
環境問題を考慮した筆記具の軸筒として広く実施可能であり、エコ認定商品やグリーン購入法認定商品とすることでさらに差別化をすることができる。
【図面の簡単な説明】
【００２９】
【図１】実施例１の筆記具の軸筒を示す、縦断面図である。
【図２】図１における外観図である。
【図３】図１における貫通孔を形成する前の状態を示す図である。
【図４】実施例２の筆記具の軸筒を示す、縦断面図である。
【図５】図４における外観図である。
【図６】実施例３の筆記具の軸筒を示す、縦断面図である。
【図７】図６における外観図である。
【符号の説明】
【００３０】
１、１１、２１  筆記具の軸筒
２、１２、２２  軸筒本体
３  口先部材
４  ボールペンレフィル
５  インキ収容筒
６  ボールペンチップ
７、１７、２７  貫通孔
８  丸み
１８、２８  軟質弾性体
【図１】
2006289808.tif 000003
【図２】
2006289808.tif 000004
【図３】
2006289808.tif 000005
【図４】
2006289808.tif 000006
【図５】
2006289808.tif 000007
【図６】
2006289808.tif 000008
【図７】
2006289808.tif 000009